(57)【要約】  放射線治療及び他の用途において患者を支持する装置。一実施例における装置は、支持構造物と、該支持構造物によって担持されたパネルとを有し得る。支持構造物は、実質的には誘電体材料を含む剛性ある桁或は他の構造物等である第１及び第２支持部材を有し得る。パネルもまた、実質的には誘電体材料を含む剛性ある構造物である。このパネルは、電離放射線ビームと互換性ある、通り抜け領域或は他のタイプの領域を更に含み得る。例えばこのパネルは、ビーム汚染を和らげるグリッド或は中実な低密度構造物を有し得る。支持構造物及びパネルは共に、患者に移植された磁気マーカをナビゲーション領域内に配置するよう構成され、そのナビゲーション領域内においては、マーカから伝達される磁場が、従来の患者システムの台座或は片持ち支持構造物における導電性構成要素或は導電性材のループによって影響をされない。【特許請求の範囲】
【請求項１】
電離放射線ビームを用いて患者内のターゲットを処置する設備において、患者支持システムを位置決め用の磁場と互換性ある(compatible)ように変更する装置であって、
第１支持部材及び第２支持部材を有する支持構造物であり、それら第１及び第２支持部材が、剛性があって、少なくとも実質的に誘電体である材料を含むと共に、前記患者支持システムによって担持されるように構成されていることから成る支持構造物と、
前記第１及び第２支持部材によって担持されたパネルであり、少なくとも実質的に誘電体である材料を含むと共に電離放射線ビームと互換性ある領域を有するパネルと、を備え、
前記支持構造物及び前記パネルが、マーカから伝達される信号が前記患者支持システムの導電性構成要素によって許容できない度合いまで影響されることがないナビゲーション領域内に、患者内に移植された前記マーカを配置するように構成されていることから成る装置。
【請求項２】
前記第１及び第２支持部材が、それぞれ、熱硬化性樹脂から構成された第１及び第２桁を含む、請求項１に記載の装置。
【請求項３】
前記第１及び第２支持部材が、それぞれ、フェノール材料から構成された第１及び第２桁を含む、請求項１に記載の装置。
【請求項４】
前記第１及び第２支持部材が、それぞれ、第１及び第２長手方向桁であり、前記支持構造物がそれら第１及び第２長手方向桁の間に延在する横断方向の第３桁を更に含む、請求項１に記載の装置。
【請求項５】
前記パネルが、低密度コアと該コアに重ね合わされた被覆とを含む、請求項１に記載の装置。
【請求項６】
前記被覆が、ケブラー（登録商標）及び／或はグラスファイバを含む、請求項５に記載の装置。
【請求項７】
前記被覆が、樹脂によって、前記コア及び支持構造物に重ね合わされた誘電体シートを含む、請求項５に記載の装置。
【請求項８】
前記コアが、誘電体フォーム及び／或は誘電体ハニカムを含む、請求項５に記載の装置。
【請求項９】
前記被覆がケブラー（登録商標）及び/或はガラスファイバを含み、前記コアが誘電体フォーム及び／或は誘電体ハニカムを含む、請求項５に記載の装置。
【請求項１０】
前記支持構造物及び前記パネルが、患者支持システムの電気的な導電性構成要素によって誘導される誤差を低減するに充分な距離だけ、ナビゲーション領域をベースから遠ざけるように離間させる、請求項１に記載の装置。
【請求項１１】
前記支持構造物及び前記パネルが、ナビゲーション領域を上昇させるように、前記患者支持システムのインサート上方に配置されるように構成されたオーバーレイを含む、請求項１に記載の装置。
【請求項１２】
前記支持構造物及び前記パネルが、ナビゲーション領域を上昇させるように、前記支持システム及びレールの間のインサート無しに、前記患者支持システムのレール上方に配置されるように構成されたオーバーレイを含む、請求項１に記載の装置。
【請求項１３】
前記支持構造物及び前記パネルが、前記患者支持システムの従来の導電性インサートを置き換えるように構成されたインサートを含む、請求項１に記載の装置。
【請求項１４】
前記患者に対して複数のアクセサリーを位置決めすべく基準システムを更に備える、請求項１に記載の装置。
【請求項１５】
実質的に誘電体のアクセサリー及びサイド・レールだけを前記患者支持システムに取り付けられるようにする選択的な取付要素を更に備える、請求項１に記載の装置。
【請求項１６】
下方本体支持構造物を更に備える、請求項１に記載の装置。
【請求項１７】
電離放射線ビームで患者を処置するために用いる患者支持システムであって、
台座と、
前記台座に取り付けられた固定具と、該固定具から突出する複数の梁とを有する片持ち支持構造物と、
前記片持ち支持構造物の前記固定具によって担持された下方本体区分と、前記梁によって担持された胴体区分とを有するプラットフォームであり、前記胴体区分が、実質的に誘電体の第１支持部材、実質的に誘電体の第２支持部材、及び、それら第１及び第２支持部材によって担持された実質的に誘電体であるパネルを含むことから成るプラットフォームと、
を備える患者支持システム。
【請求項１８】
主要梁が実質的に誘電体である材料から構成されている、請求項１７に記載の患者支持体。
【請求項１９】
前記第１及び第２支持部材が、それぞれ、熱硬化性樹脂から構成される第１及び第２桁を含む、請求項１７に記載の患者支持体。
【請求項２０】
前記第１及び第２支持部材が、それぞれ、フェノール材料から構成された第１及び第２桁を含む、請求項１７に記載の患者支持体。
【請求項２１】
前記支持構造物が、前記第１及び第２長手方向桁の間に延在する横断方向の第３桁を更に含む、請求項２０に記載の患者支持体。
【請求項２２】
前記パネルが、低密度コアと該コアに重ね合わされた被覆とを含む、請求項１７に記載の患者支持体。
【請求項２３】
前記被覆が、ケブラー（登録商標）及び／或はグラスファイバを含む、請求項２２に記載の患者支持体。
【請求項２４】
前記被覆が、樹脂によって、前記コア及び前記支持構造物に重ね合わされた誘電体シートを含む、請求項２２に記載の患者支持体。
【請求項２５】
前記コアが、誘電体フォーム及び／或は誘電体ハニカムを含む、請求項２２に記載の患者支持体。
【請求項２６】
前記被覆がケブラー（登録商標）及び／或はグラスファイバを含み、前記コアが誘電体フォーム及び／或は誘電体ハニカムを含む、請求項２２に記載の患者支持体。
【請求項２７】
磁場を発するマーカを用いてターゲットを位置決め及び追跡するためのシステムにおいて、患者を担持する患者支持体であって、
誘電体材料から構成されると共に患者を保持するように構成された剛性支持構造物と、
前記支持構造物上及び／或は前記支持構造物内の通り抜け部材であり、誘電体材料から構成されると共に高エネルギー電離放射線ビームと互換性あるように構成された剛性構造物である通り抜け部材と、
を備える患者支持体。
【請求項２８】
前記通り抜け部材が剛性グリッドである、請求項２７に記載の患者支持体。
【請求項２９】
前記通り抜け部材がパネルを含む、請求項２７に記載の患者支持体。
【請求項３０】
前記パネルが被覆で包まれたコアを含む、請求項２９に記載の患者支持体。
【請求項３１】
前記通り抜け部材が、約１．０グラム／ｃｍ2未満の質量密度を有する、請求項２７に記載の患者支持体。
【請求項３２】
前記通り抜け部材が、約０．３グラム／ｃｍ2以下の質量密度を有する、請求項２７に記載の患者支持体。
【請求項３３】
前記通り抜け部材が、約０．５％以下だけ高エネルギー電離放射線ビームを減衰するように構成されている、請求項２７に記載の患者支持体。
【請求項３４】
前記支持構造物が、第１支持部材及び第２支持部材を含み、それら第１及び第２支持部材がそれぞれ剛性ある桁である、請求項２７に記載の患者支持体。
【請求項３５】
患者内のターゲットの位置決め及び／或は追跡をするための設備において、患者を担持する患者支持体が、マーカから伝達される磁場が前記支持構造物下方のベース内の電気的な導電性構成要素によって許容できない度合いまで影響されることがないナビゲーション領域内に、患者内に移植された前記マーカを配置するように構成された誘電体支持構造物を備えることから成る患者支持体。
【請求項３６】
前記支持構造物が、前記マーカから発生させられる磁場に対する前記電気的な導電性材の効果を和らげる所定の最小距離だけ、前記ナビゲーション領域を前記ベース内の電気的な導電性構成要素から分離するように構成されている、請求項３５に記載の患者支持体。
【請求項３７】
前記支持構造物が、約７ｃｍだけ前記患者を前記ベース構造物の前記導電性構成要素上方に離間させる高さを有する、請求項３５に記載の患者支持体。
【発明の詳細な説明】
【技術分野】
【０００１】
この出願は、電離放射線ビームで照射しながら身体内のターゲットを正確に位置決めして追跡する位置決めシステムと互換性ある(compatible)患者支持システムと関連する。
【背景技術】
【０００２】
放射線治療は局在化された癌を処置すべく現行使用されている。典型的な用途において、放射線送出システムは可動架台に取り付けられた電離放射線装置を有する。この放射線送出システムは放射線装置の運動を制御して、電離放射線ビームを「マシン・アイソセンタ(Ｍａｃｈｉｎｅ  ｉｓｏｃｅｎｔｅｒ)」と一般に呼称される空間内の特定点に指向させる。放射線治療の１つの局面は、その腫瘍がマシン・アイソセンタに位置決めされるように患者を配置することである。カリプソ・メディカル・テクノロジーズ・インク（Ｃａｌｙｐｓｏ  Ｍｅｄｉｃａｌ  Ｔｅｃｈｎｏｌｏｇｉｅｓ,  Ｉｎｃ)社は患者内部のターゲットを正確に位置決めして追跡するシステム及び方法を開発した。このカリプソ・システムは患者準備処置中或は電離放射線ビームが患者にリアルタイムで照射されている間、マシン・アイソセンタに対して腫瘍の場所に関する客観的情報を提供できる（例えば測定を行ってから２秒以内且つ５秒以内毎の間隔）。
【０００３】
電離放射線ビームを活性化しながら患者内部の腫瘍を位置決めし追跡する１つの難題は、腫瘍が移動し得ることである。処置中の腫瘍移動の共通するソースは、呼吸作用、消化管の機能、及び、筋肉移動を含む。カリプソ・メディカル・テクノロジーズ・インク社によって開発された位置決め及び追跡システムは、患者の腫瘍或は他のターゲットを追跡して、その腫瘍がマシン・アイソセンタに対して所望の位置に位置決めされることを保証する。位置決め及び追跡システムは、それ故に、正確なデータを提供して、ターゲットに隣接する健康な組織の照射を和らげることが必要とされている。
【０００４】
腫瘍を位置決めする１つの局面は、放射線治療用の従来の患者支持システムが位置決めシステムの精度を損ない得ることである。従来の患者支持システムは、台座、該台座に取り付けられた片持ち支持構造物、及び、その片持ち支持構造物によって担持されるインサートを典型的には有する。このインサートはカーボングラスファイバ・グリッドを有する通り抜け領域を含み、片持ち支持構造物は、一般に、このインサートを支持する２つの梁を一般的に有する。グリッドは電離放射ビームと互換性あって、患者の重さに耐える充分な支持を提供するように設計されている。幾つかの異なる支持システム及びインサートは、下記の特許文献１乃至４に記載されており、それらの全ては引用することでここに合体させる。これら特許に記載された従来の患者支持システムは電離放射線ビームと互換性あるが、腫瘍を追跡すべく磁場或は他のタイプの信号を用いる位置決め及び追跡システム用にそれらは充分に適合していない。
【０００５】
他の用途に用いる従来の患者支持システムも位置決めシステムの精度を損ない得る。例えば、カリプソ・メディカル・テクノロジーズ・インク社によって開発された位置決め及び追跡システムは、外科的処置、患者モニタリング、及び、診断用途のために、患者における腫瘍或は他のターゲットを追跡できる。それら他の用途のための従来の患者支持システムも位置決め及び追跡システムの精度を損ない得る。それ故に、外科的処置或は他の用途のための従来の患者支持システムは有用ではあり得るが、患者のターゲットを追跡すべく、磁場或は他のタイプの信号を用いる位置決め及び追跡システム用にそれらも充分に適合するものではない。
【０００６】
【特許文献１】米国特許第５，７７８，０４７号
【特許文献２】米国特許第５，８０６，１１６号
【特許文献３】米国特許第５，５３７，４５４号
【特許文献４】米国特許第６，１６１，２３７号
【特許文献５】米国特許出願第０９／８７７，４９８号
【特許文献６】米国特許出願第１０／３３４，７００号
【特許文献７】米国特許出願第０９／９５４，７００号
【特許文献８】米国特許出願第１０／０２７，６７５号
【特許文献９】米国特許出願第１０／０４４，０５６号
【特許文献１０】米国特許出願第１０／２１３，９８０号
【特許文献１１】米国特許出願第１０／６７９，８０１号
【特許文献１２】米国特許出願第１０／３８２，１２３号
【特許文献１３】米国特許出願第１０／３３４，６９８号
【発明の開示】
【発明が解決しようとする課題】
【０００７】
（詳細な説明）
以下の記載は、放射線治療処置、画像化処置、外科的処置、患者モニタリング、及び／或は、他の用途に用いる位置決め及び追跡システムと互換性ある患者支持システムの幾つかの実施例を記載するものである。患者支持システムは、電離放射線を含む用途、或は、電離放射線（例えば手術）を含まない用途で使用可能である。患者支持システムの幾つかの実施例は、励磁場に応じて磁場を発する移植可能マーカを用いる位置決めシステムの精度を増大する。
【課題を解決するための手段】
【０００８】
本発明の幾つかの実施例は、従来の患者支持システムを位置決めのために使用される磁場（例えば、移植されたマーカによって発生された磁場）と互換性あるように変更する装置に向けられている。その装置は従来のテーブルの上部に載せられたオーバーレイ或は従来のテーブル用のインサートであり得る。一実施例における装置は、支持構造物と、該支持構造物によって担持されたパネルとを有し得る。支持構造物は、実質的には誘電体材料を含む剛性ある桁或は他の構造物等である第１及び第２の支持部材を有し得る。パネルもまた、実質的には誘電体材料を含む剛性ある構造物である。このパネルは、電離放射線ビームと互換性ある、通り抜け領域或は他のタイプの領域を更に含み得る。例えばこのパネルは、ビーム汚染を和らげる、グリッド或は中実低密度構造物を有し得る。支持構造物及びパネルは共に、患者に移植された磁気マーカをナビゲーション領域内に配置し、そのナビゲーション領域内においては、そのマーカから伝達される磁場が、従来の患者支持システムの台座或は片持ち支持構造物における導電性構成要素或は導電性材のループによって影響されない。
【０００９】
本発明の別の実施例は、患者を電離放射線ビーム処置或は他の非電離的処置での処置用の患者支持システムに向けられている。この患者支持システムは台座及び片持ち支持構造物を含み得る。片持ち支持構造物は、台座に取り付けられた固定具と、該固定具から突出する複数の梁とを有し得る。患者支持システムは、固定具によって担持される下方本体区分と、片持ち支持構造物の梁によって担持された胴体区分と、を有するプラットフォームをも含み得る。胴体区分は、実質的に誘電体である第１桁、実質的に誘電体である第２桁、及び、それらの第１及び第２桁によって担持された実質的に誘電体であるパネルを備える。
【００１０】
動作中、マーカが移植された患者の部位は実質的に誘電体である材料を含む構成要素によって支持される。適切な実質誘電体材は何等かの導電性を有し得るが、それら材料の導電性はカーボンファイバ複合材のもの未満である。例えば、少なくとも実質的に誘電体である適切な材料は、フェノール材、フォーム、ケブラー（登録商標）、グラスファイバ等々を含む。
【００１１】
従来の患者支持システムを本発明に従って変更する装置及び患者支持システムの幾つかの実施例は図１乃至図５と対応するテキストに詳述されて、本発明の特定の実施例の完全な理解を提供する。しかしながら、本発明は付加的な実施例を有し得ること、或は、本発明は図１乃至図５に示される実施例の幾つかの詳細無しで実施され得ることが、当業者には理解されるであろう。加えて、ターゲットを位置決め及び追跡するための適合するシステムは、以下の特許文献５乃至１３に記載されており、それらの全ては引用することでそれら全体をここに合体させる。
【発明を実施するための最良の形態】
【００１２】
図１は、ベース・アセンブリ１０と、該ベース・アセンブリ１０に取り付けられるように構成された変換装置１００とを図示する組立分解斜視図である。変換装置１００は、患者に移植された磁気マーカによって発せられる磁場と互換性あるように患者を支持する。ベース・アセンブリ１０は、台座１２、金属取付構造物１４、及び、片持ち支持構造物１６を含む。この片持ち支持構造物１６は、金属取付構造物１４に取り付けられた下方本体区分２０と、その下方本体区分２０から突出する自由区分２２とを含む。この自由区分２２は、複数の梁２４（図１には１つのみが示されている）と、それら梁２４に取り付けられたヘッド・プレート２６とを含む。梁２４は下方本体区分２０に固定され得るか、或は、下方本体区分２０はレール２７を含むことができ、そのレールに沿って梁が横に移動できる（矢印Ｌ）。ベース・アセンブリ１０は、ヘッド・プレート２６に取り付けられ得るヘッドレスト２８を更に含む。
【００１３】
この実施例におけるベース・アセンブリ１０は、材料の導電性を懸念すること無しに構成要素が金属或は他の材料から形成されている点で、従来のベース・アセンブリと同様であり得る。従来の用途において、カーボンファイバ・インサートは、片持ち支持構造物１６の自由区分２２における梁２４上方に配置されている。しかしながらこの実施例において、カーボンファイバ・インサートは使用されていない。
【００１４】
変換装置１００はベース・アセンブリ１０を変更して、患者内の腫瘍を位置決め及び追跡すべく磁場を発する移植された磁気マーカ用に適合するように為す。この実施例において、変換装置１００は、ベース・アセンブリ１０の金属構成要素或は導電性ループが患者に移植された磁気マーカによって発せられる磁場に悪影響しないように、患者をベース・アセンブリ１０に対して配置するように構成されている。より詳細には、変換装置１００は厚みＴを有し、その厚みが、ベース・アセンブリ１０内の金属構成要素のそうした移植磁気マークによって発生させられた磁場に対しての効果を減ずる距離だけ、患者をベース・アセンブリ１０上方に上昇させる。以下により詳細に説明されるように、変換装置１００は、患者内に移植されたマーカをベース・アセンブリ１０内の金属から更に引き離すべく、片持ち支持構造物１６の自由区分２２を超えて更に外側に患者を配置することもできる。
【００１５】
変換装置１００は胴体区分１０２を含むことができ、該胴体区分は電離放射線ビームと互換性あるように構成された通り抜け領域１０４を有すると共に、当該胴体区分１０２に周辺装置を取り付ける複数の索引要素１０６を有する。この胴体区分１０２は片持ち支持構造物１６と係合する足場１０８を、さもなければ自由区分２２に配置されることになるインサートに取って代わるように更に含む。変換装置１００は下方本体区分１１０を更に含むことができ、それが下方本体区分２０上に載る。下方本体区分１１０は、下方本体区分２０における凹部１１４内に受け入れられるように構成されたタブ１１２を含むことができて、それら２つの下方本体区分１１０及び２０を相互に整列させる。
【００１６】
図２Ａは図１における切断面Ａ-Ａに沿って切り取られた胴体区分１０２の断面図であり、そして、図２Ｂは図１における切断面Ｂ-Ｂに沿って切り取られた胴体区分１０２の断面図である。変換装置１００のこの実施例において、胴体区分１０２は少なくとも第１桁１２０ａ及び第２桁１２０ｂを含む。これら第１及び第２桁１２０ａ，１２０ｂは、梁２４（図１）の方向に延在する長手方向支持部材である。第１及び第２桁１２０ａ，１２０ｂは、各々、コア１２４及び被覆１２６を含み得る。コアとしては、フォーム（発泡体）、ハニカム、或は、少なくとも実質的に誘電体である別の適合材料であり得る。特定の実施例において、コア１２４はフェノール材であることが可能であるが、この材料は相対的に高密度であるので通り抜け領域１０４の区域には使用され得ない。被覆１２６は、中でも、ケブラー（登録商標）の１枚或はそれ以上のシート、グラスファイバ、或は、他の誘電体材を含み得る。被覆１２６は、硬化剤或は他の適切な結着剤を伴う樹脂を用いて、コア１２４に典型的に重ね合わされる。
【００１７】
胴体区分１０２は、パネル１３０と、複数の横断方向桁１３２ａ乃至１３２ｄ（図２Ｂに最も明瞭に示されている）とを更に含む。パネル１３０は、桁１２０ａ，１２０ｂと同一材料から成る被覆を有するコアを含むことができる。加えて、桁１３２ａ及び１３２ｄは１つのタイプの材料から形成され得て、そして、桁１３２ｂ，１３２ｃはそれとは異なるタイプの材料から形成され得る。桁１３２ａ，１３２ｄは、例えば、被覆にカバーされたフェノール材から形成可能であり、そして、桁１３２ｂ，１３２ｃは被覆によってカバーされたフォーム或はハニカムから形成可能である。パネル１３０の特定の複数の区分は横断方向桁と一体的に形成可能である。
【００１８】
通り抜け領域１０４は電離放射線ビームに影響しない低密度区域を提供する。パネル区分１０４は複数の横断部材１４０を有する剛性グリッドであり得る。一実施例において、この横断部材１４０はケブラー（登録商標）及び／或はグラスファイバの重ね合わせられた複数層から形成される。以下により詳細に説明されるように、通り抜け領域は電離放射線ビームと互換性ある他の低密度構成、メッシュではなく、低密度パネル等を有し得る。
【００１９】
図２Ｂを参照すると、胴体区分１０２は、下方本体区分２０（図１）のチャネル１５２（図１）内に受け入れられる取付要素１５０を更に含む。この取付要素１５０はヘッドとステム（幹）を有し、それらがチャネル１５２の対応する構造物内に受け入れられて、胴体区分１０２を片持ち支持構造物１６（図１）に保持させる。胴体区分１０２は、異なる取付機構を伴う異なるシステムを用いて、下方本体区分２０に取り付けられる。
【００２０】
変換装置１００は、患者内及び／或は患者上に移植されたマーカからの信号に悪影響する金属構成要素及び／或は導電性ループを伴う従来の患者支持システムを変更すべく、従来のインサートを置き換える。そのようなことで、従来の患者支持システムは、マーカの磁場に基づき患者内に移植された磁気マーカの箇所を計算する位置決めシステム用に互換性あるように変換され得る。変換装置１００の１つの局面は、それが患者をベース・アセンブリ１０上方に胴体区分１０２及び下方本体区分１１０の厚みＴだけ上昇させることである。加えて、胴体区分１０２は通り抜け区分１０４を台座１２から長手方向に遠ざけるように離間させることができて、腫瘍近辺の患者に移植されたマーカとベース・アセンブリ１０の金属構成要素との間の距離を更に増大する。１つの用途において、変換装置は患者を約７ｃｍだけ上昇させ、該患者をベース・アセンブリから長手方向へ離すように約７ｃｍだけ離間させる。そうすることで、変換装置１００はナビゲーション体積Ｎを提供し、その中で、患者内に移植されたマーカが、ベース・アセンブリ１０内の金属構成要素或は導電性ループによって位置決めシステムの精度が仕様以内ではなくなる程度まで影響されること無しに動作し得る。
【００２１】
変換装置１００の幾つかの実施例は、放射線治療のための装置の非導電性局面と低密度通り抜け領域を更に組み合わせる。装置の誘電体特質は、ベース支持アセンブリの導電性材料或は導電性ループによって生ずる不精密性を和らげるか或は削除し、そして低密度通り抜け領域は高強度の電離放射線ビームの汚染を和らげる。そのようなことで、図１乃至図２Ｂを参照して図示され且つ記載された実施例の幾つかは、非電離位置決めシステム及び放射線処置設備用に充分に適合する。
【００２２】
図３は、本発明の別の実施例に従った患者支持システムの組立分解斜視図である。この実施例において、患者支持システムは相互に対して一体的である胴体区分２０２及び下方本体区分２１０を有する変換装置２００を含む。変換装置２００は、図１乃至図２Ｂに関して先に記載された変換装置１００と同様に動作することが予想される。
【００２３】
図４は、本発明の別の実施例に従った変換装置３００の組立分解斜視図である。この実施例において、変換装置３００は胴体区分３０２及び下方本体区分３１０を有する。この変換装置３００は、その胴体区分３０２が、従来のインサート３２０が片持ち支持構造物１６に取り付けられているシステムに使用されるように構成されていることで、従来の変換装置１００とは異なっている。胴体区分３０２は、こうして、変換ユニット１００の足場１０８（図１）を有することがない。
【００２４】
図５は、磁場を発する移植された磁気マーカを有する位置決めシステム用に互換性ある患者支持システム５００の組立分解斜視図である。患者支持システム５００は、ベース５０２を含み得ると共に、該ベース５０２に取り付けられた下方本体区分５０６と下方本体区分５０６から突出する梁５０８（図５には１つのみの梁５０８が示されている）とを有する片持ち支持構造物５０４を含み得る。ベース５０２及び片持ち支持構造物５０４は先に記載された同一要素と類似し得るが、ベース５０２及び片持ち支持構造物５０４は、少なくとも実質的に誘電体である材料から、少なくとも部分的に構成される構成要素を含み得る。ベース５０２も従来の同等構成要素よりも少ない導電性ループを含み得る。例えば、下方本体支持区分５０６及び梁５０８は、先に記載された構造物と同様の実質的に誘電体材を含む。患者支持システム５００は通り抜け区分５２２を有するインサート５２０を更に含む。このインサート５２０は図１に関して先に記載された胴体区分１０２と同様であり得る。このインサート５２０は、それに応じて、複数の索引要素５２４を含み得る。
【００２５】
図６は、本発明の別の実施例に従った位置決めシステムに用いる患者支持を変更するための装置７００を図示する斜視図であり、図７は切断面７-７に沿って切り取られた装置７００の断面図である。装置７００の幾つかの特徴は図１乃至図２Ｂを参照して先に記載された装置１００と同様である。例えば、装置７００は厚みＴを有する胴体区分７１０を有して、位置決めシステムに用いられる移植可能な磁気マーカによって発生させられる磁場に対するベース支持アセンブリ１０における金属構成要素の効果を和らげるために充分な距離だけ、患者をベース支持アセンブリ１０上方に上昇させる。この実施例において、装置７００は足場７２０及び開口部７２２を更に含む。理解して頂けるように、足場７２０は、装置７００が図６に示される片持ち支持構造物に取り付けられる際に用いられる任意選択的な特徴である。胴体区分７１０及び足場７２０は、ケブラー（登録商標）で包まれたフォーム・コア、プラスチック、高密度ポリプロピレン、グラスファイバで包まれたコア、及び、他の適切な材料等の誘電体材料から構成される。
【００２６】
装置７００は開口部７２２内に通り抜け領域７３０を更に含む。この実施例における通り抜け領域７３０は、電離放射線ビーム用に適合する低密度材料から成るパネルを含む。例えばパネルは、ケブラー（登録商標）、グラスファイバ、或は、他の材料で包まれた低密度フォームから構成され得る。被覆は樹脂及び硬化剤を用いてコアに重ね合わされる。取り抜け領域７３０は、独自でか或は他の材料で包まれた際に患者を充分に支持できるハニカム・コア、或は、グラスファイバ、セルロースに基づく製品、プラスチック、或は、他の適合材料から構成された他のタイプのコアを代替的には有し得る。一実施例において、通り抜け領域７３０の質量密度は、該通り抜け領域７３０の厚みを通じての平方センチメートル柱内の質量によって測定される。通り抜け領域７３０は、過剰な汚染ビーム無しに放射線治療の患者への送出中、放射線ビーム内に存在させることを可能とする低質量密度を有するように一般的には構築される。図示の実施例において、通り抜け領域７３０の質量密度は、約０．３グラム／ｃｍ2或はそれ以下等の約１．０グラム／ｃｍ2或はそれ以下の範囲内である。通り抜け領域７３０は放射線ビームを約０．５％或はそれ以下だけ減衰させるように構成されるべきである。他の実施例において、取り抜け領域７３０は異なる質量密度を有し得るか、或は放射線ビームを０．５％以上減衰し得る。
【００２７】
図８は、位置決め及び追跡システム用に患者を支持する装置８００の別の実施例を図示する斜視図である。この実施例において、装置８００はベース８１０及びパネル８２０に取り付けられるか、或は、さもなければそれらに支持される誘電体テーブルの天板である。装置８００は、ベース８１０及びパネル８２０内の金属構成要素から患者を遠ざけるように隔てる厚みＴを有する。装置８００は適切な表皮で包まれた誘電体コアから構成され得て、パネル８２０上に実質的に剛性あるスペーサを提供する。例えばコアは独立気泡フォーム、ハニカム構造物、或は、他の適切な誘電体材料であり得て、表皮はケブラー（登録商標）、グラスファイバ、或は、他の誘電体材料から成る１つ或はそれ以上のシートであり得る。表皮又は被覆は硬化剤或は他の適切な結着剤を伴う樹脂を用いてコアに重ね合わせができる。他の実施例において、装置８００は、コア周りを包み込む外側被覆を有しない必須厚みＴを有する別の誘電体構造物であることが可能である。装置８００は、外科的用途、或は、放射線治療で用いられる放射線ビームに適合する低密度通り抜け領域を必ずしも必要としない他の用途に特に適合する。
【００２８】
以上の記載から、理解して頂けるように、本発明の特定の実施例は例示的目的でここに記載されたが、様々な変更が発明の精神及び範囲から逸脱すること無しに為され得る。例えば患者支持システムは、少なくとも実質的に誘電体である材料から形成されたアクセサリーのみが、変換装置或はインサートに取り付け可能となるように構成された取付要素等の付加的な特徴を更に含むことができる。加えて、他の材料或は寸法が先に記載されたものの代わりに使用可能であり、そして、実質誘電体から構成されるように先に記載された構成要素の内の幾つかは追加の構造物的強度のため導電性材料から形成される小さな特徴を含み得る。胴体区分も先に詳述された他の構成を有し得る（例えば、グリッド無しの低密度材料から成る中実パネル）。従って、本発明は各種請求項によって実証されるような以上の記載によって限定されない。
【図面の簡単な説明】
【００２９】
【図１】本発明の一実施例に従った患者支持システムの組立分解斜視図である。
【図２】図２Ａは図１における切断面Ａ-Ａに沿って切り取られた患者支持システムの一部の断面図であり、図２Ｂは図１における切断面Ｂ-Ｂに沿って切り取られた患者支持システムの一部の断面図である。
【図３】本発明の別の実施例に従った患者支持システムを図示する組立分解斜視図である。
【図４】本発明の更に別の実施例に従った患者支持システムの斜視図である。
【図５】本発明の更に別の実施例に従った患者支持システムの組立分解斜視図である。
【図６】本発明の別の実施例に従った患者支持システムの組立分解斜視図である。
【図７】図６における切断面７-７に沿って切り取られた患者支持システムの一部の断面図である。
【図８】本発明の更に別の実施例に従った患者支持システムの斜視図である。
【図９】位置決め及び追跡システム用の患者を支持する装置の別の実施例を図示する斜視図である。
【図１】
2007514461.tif 000002
【図２Ａ】
2007514461.tif 000003
【図２Ｂ】
2007514461.tif 000004
【図３】
2007514461.tif 000005
【図４】
2007514461.tif 000006
【図５】
2007514461.tif 000007
【図６】
2007514461.tif 000008
【図７】
2007514461.tif 000009
【図８】
2007514461.tif 000010